(57)【特許請求の範囲】
【請求項１】
コネクタハウジングの端子挿入口側から装着された端子の抜けを防止すべく、コネクタハウジングにバックリテーナが前記端子挿入口側からその反対側のコネクタ嵌合側へのスライドにて取付けられるコネクタを保持するホルダと、該ホルダに対して相対的に接離可能に設けられ、前記端子に接続される導通検査ピンを有する検査部と、該ホルダと該検査部とを相対的に接離移動させる移動手段とを具備し、前記ホルダは、コネクタのコネクタ嵌合側を検査部に向けてコネクタの端子挿入口側を収容する凹部およびスライド前のバックリテーナの端子挿入口側端位置を規制する規制部を有する第１ホルダと、コネクタのコネクタ嵌合側を収容する凹部を有し、かつ第１ホルダに検査部側へ向く弾性付勢力にて離隔して支持されているとともに検査部により押されて第１ホルダに当接する第２ホルダとを備えることを特徴とするコネクタ検査装置。
【発明の詳細な説明】
【０００１】
【発明の属する技術分野】
本発明は、コネクタハウジングの端子挿入口側端面または側面にリテーナが端子挿入口側とは反対のコネクタ嵌合側へのスライドにて取付けられるコネクタに対し、そのリテーナをスライドさせてコネクタハウジングに取付けるとともに導通検査をも同時に行うことを可能とする新規なコネクタ検査装置に関する。
【０００２】
【従来の技術】
上述した導通検査を行うコネクタ検査装置として、導通検査の際に、コネクタハウジングにコネクタ嵌合側とは反対の端子挿入口側からリテーナが取付けられているか否かを同時に検査する検査装置が知られている（例えば実開平０７−１６３９０等）。
【０００３】
【発明が解決しようとする課題】
しかしながら、上記コネクタ検査装置による場合は、リテーナの取付け忘れに対しては有効ではあっても、リテーナをコネクタハウジングに積極的に取付ける機構とはなっていない。
【０００４】
本発明は、このような従来技術の課題を解決すべくなされたものであり、コネクタ嵌合側へスライドさせることによりコネクタハウジングに取付けられるリテーナを、導通検査の際に同時にコネクタハウジングに取付けることを可能とするコネクタ検査装置を提供することを目的とする。
【０００５】
【課題を解決するための手段】
本発明のコネクタ検査装置は、コネクタハウジングの端子挿入口側から装着された端子の抜けを防止すべく、コネクタハウジングにバックリテーナが前記端子挿入口側からその反対側のコネクタ嵌合側へのスライドにて取付けられるコネクタを保持するホルダと、該ホルダに対して相対的に接離可能に設けられ、前記端子に接続される導通検査ピンを有する検査部と、該ホルダと該検査部とを相対的に接離移動させる移動手段とを具備し、前記ホルダは、コネクタのコネクタ嵌合側を検査部に向けてコネクタの端子挿入口側を収容する凹部およびスライド前のバックリテーナの端子挿入口側端位置を規制する規制部を有する第１ホルダと、コネクタのコネクタ嵌合側を収容する凹部を有し、かつ第１ホルダに検査部側へ向く弾性付勢力にて離隔して支持されているとともに検査部により押されて第１ホルダに当接する第２ホルダとを備えることを特徴とする。
【０００６】
ここで、バックリテーナとは、コネクタのコネクタハウジングに端子挿入口から装着された端子の抜けを防止すべく、コネクタ嵌合側に向けてスライドさせることで取付けられるものを言い、コネクタハウジングの側面に設けたリテーナ取付孔からコネクタ嵌合側へスライドさせて挿入されるものや、コネクタハウジングのコネクタ嵌合側とは反対側の開口からコネクタ嵌合側へスライドさせて挿入されるものを含む。
【０００７】
本発明のコネクタ検査装置による場合には、バックリテーナをコネクタハウジングに単に（スライドさせる前の状態で）取付けておき、その状態のコネクタをホルダにセットする。このとき、第１ホルダにコネクタの端子挿入口側をバックリテーナとともにセットし、第１ホルダから離隔した第２ホルダにコネクタのコネクタ嵌合側をセットする。そして、検査部とホルダとを相対的に接近させると、その接近に伴って検査部が第２ホルダに当接した後に第２ホルダを弾性付勢力に抗して第１ホルダ側に押していく。これに伴って、規制部にて位置規制されたバックリテーナの端子挿入口側端がコネクタ嵌合側に押されるようにスライドしていく。また、検査部とホルダとの相対的な接近により、検査部の導通検査ピンが端子に接続される。
【０００８】
よって、コネクタ嵌合側へスライドさせることによりコネクタハウジングに取付けられるバックリテーナを、導通検査の際に同時にコネクタハウジングに取付けることが可能になる。
【０００９】
【発明の実施の形態】
以下に、本発明の実施形態を具体的に説明する。
【００１０】
図１は、本実施形態に係るコネクタ検査装置の検査前の状態を示す正面図、図２は図１のコネクタ検査装置における検査中の状態を示す正面図、図３は図１のコネクタ検査装置における検査中の状態を示す平面図、図４は図１のコネクタ検査装置の要部を示す斜視図、図５（ａ）は図１のコネクタ検査装置による検査前の状態を示す要部の平面図、図５（ｂ）は同じく検査中の状態を示す要部の平面図である。
【００１１】
このコネクタ検査装置は、基台１と、その基台１の上の左側に設けられたホルダ１０と、その右側にホルダ１０に対して左右方向にスライド可能に設けられた検査部３０と、検査部３０の右側に設けられ検査部３０を左右方向にスライドさせるためのレバー２とを有する。
【００１２】
ホルダ１０は、第１ホルダ１１と第２ホルダ２１とを有し、第１ホルダ１１は基台１上に固定されており、一方の第２ホルダ２１は第１ホルダ１１に接離可能に支持されている。その第１ホルダ１１の支持機構は以下の通りである。即ち、第１ホルダ１１の四隅に形成したねじ取付け孔１２にねじ１３を通し、各ねじ１３の先端が第２ホルダ２１の四隅の該当部分に螺入されている。そのねじ１３には、これを中に入れて圧縮コイルばね１４が取付けられており、その圧縮コイルばね１４の一端は第１ホルダ１１の第２ホルダ２１との対向面に設けたばね取付け孔１５で規制され、圧縮コイルばね１４の他端は第２ホルダ２１の第１ホルダ１１との対向面に設けたばね取付け孔２２で規制されており、圧縮コイルばね１４の押圧力により第１ホルダ１１と第２ホルダ２１との間には、ねじ１３で規制される長さの隙間Ａが形成されている（図１参照）。なお、ばね取付け孔１５と２２の合計長さは、圧縮コイルばね１４が圧縮可能長さよりも長めに設定されており、第２ホルダ２１が圧縮コイルばね１４の弾性押圧力に抗して第１ホルダ１１に接近し、前記隙間Ａが０となり得る、つまり第２ホルダ２１が第１ホルダ１１に当接し得るようになっている。なお、本実施例では上述のようにバックリテーナ付きコネクタ２個が並列に連結されたタイプのものに関して示す。
【００１３】
図３に示すように上記第１ホルダ１１はコネクタ１００の端子挿入口側（図３の左側）を所定位置に所定姿勢で保持する凹部１６と、コネクタ１０１の端子挿入口側（図３の左側）を所定位置に所定姿勢で保持する凹部１７とを有し、一方の第２ホルダ２１はコネクタ１００のコネクタ嵌合側（図３の右側）を所定位置に所定姿勢で保持する凹部２６と、コネクタ１０１のコネクタ嵌合側（図３の右側）を所定位置に所定姿勢で保持する凹部２７とを有する。また、第２ホルダ２１の右側部分は、その左側部分よりも手前側と奧側が切欠かれることで幅寸法が短くされている。その狭幅部分は、検査部３０の左側面に形成された凹穴３１に入るようになっている。
【００１４】
上記凹部１６には、図５に示すように、コネクタ１００に取付けられるバックリテーナ１０２の端子挿入口側端を規制する一対の規制部１６ａが形成され、また、上記凹部１７には、コネクタ１０１に取付けられるバックリテーナ１０３の端子挿入口側端を規制する一対の規制部１７ａが形成されている。なお、規制部１６ａ、１７ａの位置はコネクタ嵌合側へのスライド前のコネクタ１００、１０１をホルダ１０に支障なくセットできる位置に設定され、隙間Ａの長さ寸法はコネクタ１００、１０１をコネクタ嵌合側へスライドさせるに要する長さ寸法とほぼ同一に設定されている。
【００１５】
前記検査部３０の凹穴３１の内奥面には、各コネクタの端子に対応した導通検査ピン３２、３３と、検査部３０が左側への移動限（隙間Ａが０のときに第２ホルダ２１と当接する位置）まで移動したことを検出する、いわゆるツープローブからなる位置検査スイッチ３４とが、それぞれ先端側をホルダ１０側に向けて取付けられている。導通検査ピン３２はコネクタ１００の端子に対応する位置に設けられ、その端子に接続される。導通検査ピン３３はコネクタ１０１の端子に対応する位置に設けられ、その端子に接続される。位置検査スイッチ３４は、第２ホルダ２１の右端面に対応する位置に設けられ、その端面に当接するようになっており、位置検査スイッチ３４の弾性押圧力は圧縮コイルばね１４の弾性押圧力よりも充分に大きく設定されている。
【００１６】
検査部３０の手前側側面と奧側側面には、「コ」の字状をしたリンク３の対向片３ａ、３ｂの先端側が回転可能に取付けられており、対向片３ａと３ｂで挟まれた連結部３ｃには前記レバー２が固設されている。レバー２を図１に示す寝た状態から図２に示す起立状態に回転させると、検査部３０は左側に前進し、圧縮コイルばね１４の弾性押圧力に抗して第２ホルダ２１を第１ホルダ１１側に押していき、距離Ａが０になると、最終的に位置検査スイッチ３４のロッドが退入して検査部３０が第２ホルダ２１とが当接する。位置検査スイッチ３４は、ロッドの退入により導通検査準備の完了を検出する。一方、レバー２を図２に示す起立状態から図１に示す寝た状態に回転させると、検査部３０が左側の待機位置に戻るとともに、第２ホルダ２１が圧縮コイルばね１４の弾性押圧力により第１ホルダ１１から距離Ａだけ離れた所定位置に戻る。
【００１７】
次に、このように構成されたコネクタ検査装置による動作につき説明する。
【００１８】
まず、図５（ａ）に示すように、コネクタ１００のコネクタハウジング１００ａの対向側面にそれぞれバックリテーナ１０２を単に取付け、コネクタ１０１のコネクタハウジング１０１ａの対向側面にそれぞれバックリテーナ１０３を単に取付ける。なお、コネクタハウジング１００ａと１０１ａの各部分には、ハッチングを付している。また、バックリテーナ１０２、１０３の構成および取付け方等は、例えば特開平８−１３８７８３号公報等を参照されたい。
【００１９】
次に、レバー２が寝た状態になっていることを確認し、上述した状態のコネクタ１００の端子挿入口側を第１ホルダ１１の凹部１６に入れ、バックリテーナ１０２の端子挿入口側端を規制部１６ａにて規制する。これによりコネクタ１００の端子挿入口側が凹部１６に保持され、これに伴ってコネクタ１００のコネクタ嵌合側は第２ホルダ２１の凹部２６に保持される。これと前後して、上述の状態のコネクタ１０１の端子挿入口側を第１ホルダ１１の凹部１７に入れ、バックリテーナ１０３の端子挿入口側端を規制部１７ａにて規制する。これによりコネクタ１０１の端子挿入口側が凹部１７に保持され、これに伴ってコネクタ１０１のコネクタ嵌合側は第２ホルダ２１の凹部２７に保持される。
【００２０】
続いて、レバー２を図１に示す寝た状態から図２に示す起立状態にする。これに伴って検査部３０が左側に前進し、圧縮コイルばね１４の弾性押圧力に抗して第２ホルダ２１を第１ホルダ１１側へ押す。これにより、コネクタ１００のバックリテーナ１０２の端子挿入口側端が規制部１６ａによりコネクタ嵌合側に押されていくとともに、コネクタ１０１のバックリテーナ１０３の端子挿入口側端が規制部１７ａにより前側に押されていき、第２ホルダ２１が第１ホルダ１１に当接して距離Ａが０になり、バックリテーナ１０２は端子に係合した状態にコネクタハウジング１００ａに取付けられ、バックリテーナ１０３も端子に係合した状態にコネクタハウジング１０１ａに取付けられる。このとき、位置検出スイッチ３４が検査部３０に設けられていれば、第１ホルダ１１と第２ホルダ２１との距離Ａが０になった時に位置検出スイッチ３４がＯＮとなり、バックリテーナの嵌合が終了したことを知らせる。
【００２１】
これと同時に、コネクタ１００の端子に導通検査ピン３２が接続されるとともにコネクタ１０１の端子に導通検査ピン３３が接続される。これらの接続により、両コネクタ１００と１０１は、直接接続されていない状態でも、相互に接続した状態と同様な導通検査が可能となる。
【００２２】
したがって、本実施形態による場合には、コネクタ嵌合側へスライドさせることによりコネクタハウジング１００ａ、１０１ａに取付けられるバックリテーナ１０２、１０３を、導通検査の際に同時にコネクタハウジング１００ａ、１０１ａに取付けることが可能になる。
【００２３】
なお、上述した実施形態ではホルダ１０に２つ１組のコネクタをセットできる構成としているが、本発明はこれに限らず、２組以上のコネクタをセットできるようにしたり、或いは、単一のコネクタを１または２以上でセットできる構成としたりしてもよい。
【００２４】
【発明の効果】
以上詳述したように、本発明による場合には、バックリテーナをコネクタハウジングに単に（スライドさせる前の状態で）取付けた状態のコネクタをホルダにセットし、具体的には第１ホルダにコネクタの端子挿入口側をバックリテーナとともにセットしかつ第１ホルダから離隔した第２ホルダにコネクタのコネクタ嵌合側をセットし、その後に検査部とホルダとを相対的に接近させると、その接近に伴って検査部が第２ホルダに当接した後に第２ホルダを弾性付勢力に抗して第１ホルダ側に押していき、これに伴って規制部にて位置規制されたバックリテーナの端子挿入口側端がコネクタ嵌合側に押されてスライドしていくとともに検査部とホルダとの相対的な接近により検査部の導通検査ピンが端子に接続される。よって、コネクタ嵌合側へスライドさせることによりコネクタハウジングに取付けられるバックリテーナを、導通検査の際に同時にコネクタハウジングに取付けることが可能になる。
【図面の簡単な説明】
【図１】本実施形態に係るコネクタ検査装置の検査前の状態を示す正面図である。
【図２】図１のコネクタ検査装置における検査中の状態を示す正面図である。
【図３】図１のコネクタ検査装置における検査中の状態を示す平面図である。
【図４】図１のコネクタ検査装置の要部を示す斜視図である。
【図５】（ａ）は図１のコネクタ検査装置による検査前の状態を示す要部の平面図、（ｂ）は同じく検査中の状態を示す要部の平面図である。
【符号の説明】
１  基台
２  レバー
１０  ホルダ
１１  第１ホルダ
１４  圧縮コイルばね
１６、１７、２６、２７  凹部
１６ａ、１７ａ  規制部
２１  第２ホルダ
３０  検査部
３２  導通検査ピン
３３  導通検査ピン
１００、１０１  コネクタ
１００ａ、１０１ａ  コネクタハウジング
１０２、１０３  バックリテーナ
【図１】
0003744386.tif 000002
【図２】
0003744386.tif 000003
【図３】
0003744386.tif 000004
【図４】
0003744386.tif 000005
【図５】
0003744386.tif 000006